(57)【要約】      （修正有）【課題】ティーの携帯が便利になり、且つティーの放置と取出しとをより便利にする。【解決手段】一つのプレート１の正面に挟み具３が設けてあるティー用放置装置において、前記挟み具は、挟み部３２と、受け部３３とから構成され、前記挟み部には、固定リング３２１と、前記固定リングの内側に設けた挟みリング３２２とが設けてあり、前記挟みリングは弾性的に拡張し又は回復することができ、前記受け部には内外受け台３３１，３３２が重ねて形成してある。内外受け台の間には弾性素子３３３が設けてある。【選択図】図１
0003114846.tif 000002
【実用新案登録請求の範囲】
【請求項１】
一つのプレートの正面に挟み具が設けてあるティー用放置装置において、
前記挟み具は、挟み部と、受け部とから構成され、
前記挟み部には、固定リングと、前記固定リングの内側に設けた挟みリングとが設けてあり、
前記挟みリングは弾性的に拡張及び回復でき、
前記受け部には内外受け台が重ねて形成してあり、
内外受け台の間には弾性素子が設けてあることを特徴とする、
ティー用放置装置。
【請求項２】
前記ストリップの後ろ面には係り片が設けてあり、前記係り片は、上段がストリップに固定され、中段が弾性的にストリップに圧迫し、下段がストリップから離れる方向に曲がられたことを特徴とする、請求項１に記載のティー用放置装置。
【請求項３】
前記固定リングには内側の直径がより大きくて外側の直径がより小さい段階状貫通孔が開設してあり、前記挟みリングは、その両端は形状が前記段階状貫通孔に合う押圧ブロックと連接し、且つ前記押圧ブロックが前記段階状貫通孔に挿入して外側に突出することを特徴とする、請求項１に記載のティー用放置装置。
【請求項４】
前記挟みリングは、その横方向の広さはちょうどティーの中央の溝を挟み、その縦方向の広さはティーの外径よりも大きいことを特徴とする、請求項１に記載のティー用放置装置。
【請求項５】
前記受け部の内外受け台の間に設けた弾性素子はバネであることを特徴とする、請求項１に記載のティー用放置装置。
【請求項６】
前記挟み部と受け部とは一つのストリップに連接されて三者が一体になり、前記ストリップはプレートと連接して、前記挟み部と受け部とがプレートに固定されることを特徴とする、請求項１に記載のティー用放置装置。
【請求項７】
前記受け部は外受け台でストリップと連接することを特徴とする、請求項６に記載のティー用放置装置。
【考案の詳細な説明】
【技術分野】
【０００１】
本考案は、ティー用放置装置（ティー保持装置）に係り、特に、使用が極めて便利になるティー用放置装置に関するものである。
【背景技術】
【０００２】
国民にとってゴルフは広汎に受け入れた運動になり、特に、お年寄りや激しい運動を嫌う人にとって、ゴルフは最高のスポーツであり、また、ゴルフ場は広くて緑がいっぱいなので、ゴルフ場でゴルフをやることは最高である。
【０００３】
また、ゴルフをやるときには、草地にティーを挿してボールをティーの乗せ台に置いてクラブによってボールを打ち出すが、使用者はティーをズボンのポケットに入れたり手で携帯したりするのは一般である。
【考案の開示】
【考案が解決しようとする課題】
【０００４】
しかしながら、ボールを打ち出すと同時に、ティーも打ち出されるので、ティーを多数用意する必要がある。だから、多数のティーの携帯が極めて不便であり、更にゴルフを楽しむときの障害にもなる。
【課題を解決するための手段】
【０００５】
上記欠点を解決するためになされた本願の第１考案は、主に、一つのプレートの正面に挟み具が設けてあるティー用放置装置において、前記挟み具は、挟み部と、受け部とから構成され、前記挟み部には、固定リングと、前記固定リングの内側に設けた挟みリングとが設けてあり、前記挟みリングは弾性的に拡張し又は回復することができ、前記受け部には内外受け台が重ねて形成してあり、なお、内外受け台の間には弾性素子が設けてあることを特徴とするティー用放置装置を要旨としている。
【０００６】
本願の第２考案では、前記ストリップの後ろ面には係り片が設けてあり、前記係り片は、上段がストリップに固定され、中段が弾性的にストリップに圧迫し、下段がストリップから離れる方向に曲がられたことを特徴とする、前記第１考案に記載のティー用放置装置であることを要旨としている。
【０００７】
本願の第３考案では、前記固定リングには内側の直径がより大きくて外側の直径がより小さい段階状貫通孔が開設してあり、前記挟みリングは、その両端は形状が前記段階状貫通孔に合う押圧ブロックと連接し、且つ前記押圧ブロックが前記段階状貫通孔に挿入して突出することを特徴とする、前記第１考案に記載のティー用放置装置であることを要旨としている。
【０００８】
本願の第４考案では、前記挟みリングは、その横方向の広さはちょうどティーの中央の溝を挟み、その縦方向の広さはティーの外径よりも大きいことを特徴とする、前記第１考案に記載のティー用放置装置であることを要旨としている。
【０００９】
本願の第５考案では、前記受け部の内外受け台の間に設けた弾性素子はバネでもいいことを特徴とする、前記第１考案に記載のティー用放置装置であることを要旨としている。
【００１０】
本願の第６考案では、前記挟み部と受け部とは一つのストリップに連接されて三者が一体になり、前記ストリップはプレートと連接するので、前記挟み部と受け部とはプレートに固定されることを特徴とする、前記第１考案に記載のティー用放置装置であることを要旨としている。
【００１１】
本願の第７考案では、前記受け部は外受け台でストリップと連接することを特徴とする、前記第６考案に記載のティー用放置装置であることを要旨としている。
【考案の効果】
【００１２】
本考案に係るティー用放置装置によれば、次のような効果がある。
（１）本考案に係るティー用放置装置のプレートの後ろ面に係り片が設けてあり、前記係り片は、弾性を持つ素材を湾折して形成されたものであり、使用者のベルトに掛かることができるので、ティーの携帯は便利になる。
【００１３】
（２）本考案に係るティー用放置装置のプレートの正面に挟み具が設けてあり、前記挟み具は、弾性を持つ挟みリングと、反発力を持つ受け部とを有し、前記挟みリングによりティーが挟まれて脱落し難くなり、なお、受け部がティーの底端を受け、挟みリングを緩めると、ティーが上へ弾き出されるので、ティーの放置と取出しとがもっと便利になる。
【考案を実施するための最良の形態】
【００１４】
以下、添付図面を参照して本考案の好適な実施の形態を詳細に説明する。
【００１５】
まず、図１乃至図４を参照する。本考案に係るティー用放置装置は、主に、一つのプレート１の後ろ面に設けた係り片２と、前記プレート１の正面に設けた一つ又は一個以上の挟み具３とから構成されるものである。
【００１６】
前記係り片２は、弾性を持つ素材を湾折して形成されたものであり、上段がストリップ１に固定され、中段が弾性的にストリップ１に圧迫し、下段がストリップ１から離れる方向に曲がられ、係り片２とプレート１との間にはベルトを挟むことができ、これにより、ティー用放置装置全体が使用者のベルトに係れるようになる。
【００１７】
前記挟み具３は、ストリップ３１の上端に設けた挟み部３２と、前記ストリップ３１の下端に設けた受け部３３とから構成され、前記挟み部３２には、固定リング３２１と、前記固定リング３２１の内側に設けた挟みリング３２２とが設けてあり、固定リング３２１には内側の直径がより大きくて外側の直径がより小さい段階状貫通孔３２３が開設してあり、段階状貫通孔３２３の内側壁面には挟みリング３２２の一端を収容するための溝３２４が設けてあり、そうすると、挟みリング３２２がズレしなくなり、前記挟みリング３２２は、弾性的に拡張し又は回復することができ、且つその横方向の広さはちょうどティー４の中央の溝４１を挟み、その縦方向の広さはティー４の外径よりも大きく、また、その両端は形状が前記段階状貫通孔３２３に合う押圧ブロック３２５と連接し、且つ前記押圧ブロック３２５が前記段階状貫通孔３２３に挿入して外側に突出し、前記押圧ブロック３２５を押圧すると、挟みリング３２２の横方向の広さが拡大になり、また、前記押圧ブロック３２５を解放したと、挟みリング３２２の横方向の広さが縮小になり、また、前記受け部３３には内外受け台３３１，３３２が重ねて形成してあり、前記内受け台３３１はティー４の挿入先端４２の底部を収容し、前記外受け台３３２が前記ストリップ３１の下端に固定され、なお、内外受け台３３１，３３２の間には弾性素子３３３（例えばバネなど）が設けてあり、内受け台３３１がティー４の挿入先端４２の底部に押さえられるときに、内受け台３３１の下に設けた弾性素子３３３が下へ圧縮され、内受け台３３１への押圧力がなくなるときに、弾性素子３３３が内受け台３３１を上へ押上げる。
【００１８】
また、図５と図６を参照して本考案の使用状態を詳細に説明する。まず、プレート１の後ろ面に設けた係り片２を使用者のベルトに掛からせ、係り片２の中段によって前記ベルトを圧迫し、ティー４を放置しようとするときには、ティー４の挿入先端４２の底部を下に向かせて挟み具３の挟みリング３２２内に挿入してティー４を下へ押圧し、挟みリング３２２の一端が固定リング３２１の内側壁面に設けた溝３２４内に収容され、挟みリング３２２の他端には押圧ブロック３２５が固定リング３２１に設けた段階状貫通孔３２３に挿入して外側に突出し、前記挟みリング３２２は弾性的に拡張し又は回復することができ、ティー４を挿入する場合には、ティー４の挿入先端４２が挟みリング３２２の横方向の広さを拡大させ、また、ティー４の挿入先端４２の底部が挟み具３の下に設けた受け部３３の内受け台３３１を圧迫し、受け部３３の内外受け台３３１，３３２の間には弾性素子３３３が設けてあるので、内受け台３３１は外受け台３３２の上で下へ圧縮されることができ、ティー４の中央の溝４１が挟まれたようになると、使用者は手をティー４から離れることができ、また、ティー４を取出そうとする場合には、挟み具３の固定リング３２１の段階状貫通孔３２３に設けられた押圧ブロック３２５を押圧して、挟み部３２の挟みリング３２２の横方向の広さを拡大すると、受け部３３の内受け台３３１が弾性素子３３３の弾力によって上へ弾き出され、そうすると、ティー４も上へ弾き出されて取出すことができる。
【図面の簡単な説明】
【００１９】
【図１】本考案の分解斜視図である。
【図２】本考案の正面断面図である。
【図３】本考案の上面断面図である。
【図４】本考案に係る押圧ブロックを押圧することを示す上面断面図である。
【図５】ティーを放置したときの本考案の側面断面図である。
【図６】ティーを取出すときの本考案の側面断面図である。
【符号の説明】
【００２０】
１        プレート                  ２        係り片
３        挟み具                    ３１      ストリップ
３２      挟み部                    ３２１    固定リング
３２２    挟みリング                ３２３    段階状貫通孔
３２４    溝                        ３２５    押圧ブロック
３３      受け部                    ３３１    内受け台
３３２    外受け台                  ３３３    弾性素子
４        ティー                    ４１      溝
４２      挿入先端
【図１】
0003114846.tif 000003
【図２】
0003114846.tif 000004
【図３】
0003114846.tif 000005
【図４】
0003114846.tif 000006
【図５】
0003114846.tif 000007
【図６】
0003114846.tif 000008